(57)【要約】【課題】  カラオケ演奏装置を、本来の目的外であるダンス伴奏のみに使用することを排除する。【解決手段】  マイクロホン２４から入力される歌唱音声信号を検出したか否かを判別する音声入力判別手段４７と、任意のカラオケ楽曲が演奏されている際に、利用者の動きを検知して、その動作周期を演算する動作周期演算手段４８と、演奏されているカラオケ楽曲の演奏テンポに基づいて、そのテンポ周期を取得するテンポ周期取得手段４９と、歌唱区間においてマイクロホン２４から入力される歌唱音声信号が検出されない場合に、動作周期とテンポ周期とを比較する周期比較手段５０と、両周期が一致している継続時間を計測する周期一致時間計測手段５１と、計測した継続時間が予め定めた基準時間を超えた場合に、カラオケ演奏装置１１の目的外使用を抑制するための処理を行う目的外使用抑制手段５２と、を備える。【選択図】  図１
2010256641.tif 000002
【特許請求の範囲】
【請求項１】
歌唱を行うことを目的とせずに、ダンスのみを行っている利用者を識別可能としたカラオケシステムであって、音声入力判別手段と、動作周期演算手段と、テンポ周期取得手段と、周期比較手段と、周期一致時間計測手段と、目的外使用抑制手段と、を備え、
前記音声入力判別手段は、マイクロホンから入力される歌唱音声信号を検出したか否かを判別し、
前記動作周期演算手段は、任意のカラオケ楽曲が演奏されている際に、利用者の動きを検知して、その動作周期を演算し、
前記テンポ周期取得手段は、前記演奏されているカラオケ楽曲の演奏テンポに基づいて、そのテンポ周期を取得し、
前記周期比較手段は、前記カラオケ楽曲の歌唱区間において、マイクロホンから入力される歌唱音声信号が検出されない場合に、前記動作周期と前記テンポ周期とを比較し、
前記周期一致時間計測手段は、前記比較結果に基づいて、前記動作周期と前記テンポ周期とが一致している継続時間を計測して管理し、
前記目的外使用抑制手段は、前記継続時間が予め定めた基準時間を超えた場合に、カラオケ演奏装置の目的外使用を抑制するための処理を行う、
ことを特徴とする目的外使用抑制機能付カラオケシステム。
【請求項２】
前記目的外使用抑制手段は、表示装置の表示画面への警告表示、カラオケ楽曲の演奏中止、歌唱姿態の録画中止、のうちの少なくとも１つを行うことにより目的外使用を抑制すること、
を特徴とする請求項１に記載の目的外使用抑制機能付カラオケシステム。
【発明の詳細な説明】
【技術分野】
【０００１】
本発明は、歌唱を行わないで、ダンスのみを行っている利用者を識別可能としたカラオケシステムに関するものである。
【背景技術】
【０００２】
現在の一般的なカラオケ店は、利用者の所望に応じてカラオケ楽曲を演奏し、その演奏に合わせて利用者に歌唱を行わせるという営業形態をとっている。特に、カラオケボックスでは、各部屋に設置されたカラオケ演奏装置を利用者自らが操作して、カラオケ楽曲を演奏させて歌唱を行うようになっている。
【０００３】
ところで、善良の風俗と清浄な風俗環境を保持するために、遊興を提供する施設の営業形態によっては法規制を受ける場合がある。例えば、ダンスホール、その他の設備を設けて客にダンスをさせる営業の場合には、管轄行政機関の許可を受けなくてはならない。この点、カラオケ店はカラオケ楽曲の伴奏に合わせて歌唱を楽しませるための施設であり、ダンスをさせるための施設ではないため、通常の場合、特別な営業許可は必要ない。
【０００４】
しかし、利用者自らにカラオケ演奏装置を操作させるカラオケボックスでは、経営者の意図に反して、利用者がカラオケ楽曲の歌唱を楽しむのではなく、カラオケ楽曲を伴奏としてダンスのみを楽しむような利用方法も可能である。このような利用方法となってしまった場合には、客にダンスをさせる営業とみなされて、管轄行政機関の許可なしには営業できないことになる。そこで、本来の利用目的に反して、利用者がダンス伴奏のみを目的としてカラオケ演奏装置を利用する行為を排除しなければならない。
【０００５】
現在、歌唱を行うことを目的とせずに、ダンスのみを行っている利用者を排除するための技術は開発されていないため、発明者は、映像要素の変化の周期性を検出する技術等に着目して、鋭意研究を重ねた。その結果、カラオケ演奏装置の利用者について、その動作周期とカラオケ楽曲の演奏テンポに基づくテンポ周期とを比較することにより、利用者がカラオケ楽曲に合わせてダンスを行っていることを判別できることに想到した。
【０００６】
被写体の動き（映像要素の変化）の周期性を検出する技術が、特許文献１に記載されている。この特許文献１に記載された技術は、撮影した映像情報（例えば、色情報）に基づいて被写体の映像要素を分離し、この映像要素の映像面積における重心を算出し、重心の移動に基づいて映像要素の変化の周期性を検出するようになっている。
【先行技術文献】
【特許文献】
【０００７】
【特許文献１】特開昭６４−９１１８８号公報
【発明の概要】
【発明が解決しようとする課題】
【０００８】
上述したように、現在のところ、歌唱を行うことを目的とせずに、ダンスのみを行っている利用者を排除するための技術は開発されていない。なお、特許文献１に記載された技術は、自動演奏のテンポが映像要素の周期性に合うように、自動演奏装置を制御することを目的としたものであり、カラオケ演奏装置の目的外使用については何ら言及されていない。
【０００９】
本発明は、上述した事情に鑑み提案されたもので、カラオケ演奏装置を本来の目的外であるダンス伴奏のみに使用することを排除可能な目的外使用抑制機能付カラオケシステムを提供することを目的とする。
【課題を解決するための手段】
【００１０】
本発明の目的外使用抑制機能付カラオケシステムは、上述した目的を達成するため、以下の特徴点を有している。すなわち、本発明の目的外使用抑制機能付カラオケシステムは、歌唱を行うことを目的とせずに、ダンスのみを行っている利用者を識別可能としたカラオケシステムであって、音声入力判別手段と、動作周期演算手段と、テンポ周期取得手段と、周期比較手段と、周期一致時間計測手段と、目的外使用抑制手段と、を備えている。
【００１１】
音声入力判別手段は、マイクロホンから入力される歌唱音声信号を検出したか否かを判別する手段である。動作周期演算手段は、任意のカラオケ楽曲が演奏されている際に、利用者の動きを検知して、その動作周期を演算する手段である。テンポ周期取得手段は、現に演奏されているカラオケ楽曲の演奏テンポに基づいて、そのテンポ周期を取得する手段である。周期比較手段は、カラオケ楽曲の歌唱区間において、マイクロホンから入力される歌唱音声信号が検出されない場合に、動作周期とテンポ周期とを比較する手段である。周期一致時間計測手段は、比較結果に基づいて、動作周期とテンポ周期とが一致している継続時間を計測して管理する手段である。目的外使用抑制手段は、継続時間が予め定めた基準時間を超えた場合に、カラオケ演奏装置の目的外使用を抑制するための処理を行う手段である。
【００１２】
このような構成からなる目的外使用抑制機能付カラオケシステムでは、音声入力判別手段の機能により、マイクロホンから入力される歌唱音声信号を検出したか否かを判別する。また、動作周期演算手段の機能により、任意のカラオケ楽曲が演奏されている際に、利用者の動作周期を演算する。一方、テンポ周期取得手段の機能により、現に演奏されているカラオケ楽曲の演奏テンポに基づいて、そのテンポ周期を取得する。そして、周期比較手段の機能により、動作周期とテンポ周期とを比較する。なお、周期比較手段における動作周期とテンポ周期の比較は、演奏対象となっているカラオケ楽曲の歌唱区間において、マイクロホンから入力される歌唱音声信号が検出されない場合に行われる。すなわち、本来ならばマイクロホンから入力される歌唱音声信号が検出されなければならない歌唱区間において、利用者が歌唱を行っていない場合には、当該カラオケシステムをダンス伴奏のみを目的として使用しているおそれがあるため、周期比較手段における動作周期とテンポ周期の比較が行われる。
【００１３】
そして、周期一致時間計測手段の機能により、動作周期とテンポ周期とが一致している継続時間を計測する。さらに、歌唱音声信号が検出されずに、動作周期とテンポ周期とが一致している継続時間が予め定めた基準時間を超えた場合には、目的外使用抑制手段の機能により、カラオケ演奏装置の目的外使用を抑制するための処理を行う。すなわち、本来ならばマイクロホンから入力される歌唱音声信号が検出されなければならない歌唱区間において、利用者が歌唱を行っておらず、さらに、利用者の動作周期と、現に演奏されているカラオケ楽曲のテンポ周期とが一致している場合には、カラオケシステムを本来の目的外であるダンス伴奏のみを目的として使用していることになり、その旨の目的外使用抑制処理が行われる。目的外使用抑制処理では、例えば、表示装置の表示画面への警告表示、カラオケ楽曲の演奏中止、歌唱姿態の録画中止、のうちの少なくとも１つを行うことにより目的外使用を抑制する。
【発明の効果】
【００１４】
本発明の目的外使用抑制機能付カラオケシステムによれば、カラオケシステムを本来の目的外であるダンス伴奏のみに使用している場合に、その旨の目的外使用抑制処理が行われる。したがって、カラオケ演奏装置を本来の目的外であるダンス伴奏のみに使用することを排除できる。このため、利用者をカラオケ演奏装置の本来の利用方法に導いて、歌唱の楽しさを与えることができ、カラオケ店にとっては、カラオケ演奏装置の目的外使用を排除して、健全な営業を行うことができる。
【図面の簡単な説明】
【００１５】
【図１】本発明の実施形態に係る目的外使用抑制機能付カラオケシステムを適用するカラオケ演奏装置のブロック図。
【図２】本発明の実施形態に係る目的外使用抑制機能付カラオケシステムにおける目的外使用抑制処理を示すフローチャート。
【図３】表示装置の表示画面に表示される警告メッセージの一例を示す模式図。
【発明を実施するための形態】
【００１６】
以下、図面を参照して、本発明の目的外使用抑制機能付カラオケシステムの実施形態を説明する。本発明の実施形態に係る目的外使用抑制機能付カラオケシステムは、歌唱を行わないで、ダンスのみを行っている利用者を識別可能としたカラオケシステムであって、主な構成要素として、音声入力判別手段と、動作周期演算手段と、テンポ周期取得手段と、周期比較手段と、周期一致時間計測手段と、目的外使用抑制手段と、を備えている。図１に、本発明の実施形態に係る目的外使用抑制機能付カラオケシステムを適用するカラオケ演奏装置の構成を示す。
【００１７】
＜カラオケ演奏装置＞
本発明の実施形態に係るカラオケ演奏装置１１は、図１に示すように、カラオケ本体２１、カラオケリモコン装置２２、撮影装置２３、マイクロホン２４、スピーカ２５、ミキシングアンプ２６、表示装置２７、を備えている。
【００１８】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、データの送受信を行うための回路基板及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００１９】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２０】
＜撮影装置＞
撮影装置２３は、歌唱者の姿態を撮影するための装置で、ビデオカメラ及びその付帯装置からなる。ビデオカメラは、撮像レンズ及び撮像素子、フォーカシング機構、ズーミング機構を主な構成要素としており、撮像レンズにより、被写体からの光線を撮像素子上に結像させてビデオ信号に変換する。このビデオ信号は、カラオケ本体２１に送信される。
【００２１】
フォーカシング機構は、被写体像を撮像素子上に合焦して結像させるための機構であり、オートフォーカス機構を備えていることが好ましい。オートフォーカス機構としては、例えば、適宜な間隔を隔てて設置した２つのセパレートレンズを用いて被写体を撮影し、被写体像を撮像素子上に結像させ、両画像の位相差に基づいて物体距離を検知する方式や、被写体上に赤外光を照射して、被写体からの拡散反射光をレンズで集光し、その結像位置に基づいて物体距離を検知する方式や、撮像素子から被写体のコントラスト情報を抽出し、結像状態を直接判定する方式等が知られている。
【００２２】
ズーミング機構は、ビデオカメラの画角を変更するための機構で、広角端から望遠端に至る所定の範囲で連続的に画角を変更できるようになっており、画角の変更を行うために、ズームレンズ群を構成する各レンズを光軸に沿って移動させるための機構を備えている。ズームレンズ群を構成する各レンズを光軸に沿って移動させるための機構は、例えば、レンズを光軸に沿って移動可能に支持する支持機構、及びレンズを光軸に沿って移動させるアクチュエータ等からなる。なお、ズーミング機構は、例えば、歌唱者の顔領域の大きさがほぼ同一とるように自動的に画角を調整するような自動画角調整機構として構成してもよいし、利用者がカラオケリモコン装置２２を操作することにより動作し、利用者の所望に応じて画角調整を行うような手動画角調整機構として構成してもよい。また、被写界深度の深いレンズからなる固定焦点の撮像レンズを用いることによりフォーカシング機構を省略してもよいし、歌唱者の全身が収まる程度の画角を有する撮像レンズを用いることによりズーミング機構を省略してもよい。
【００２３】
また、ビデオカメラの付帯装置としては、パン・チルト機構、被写体追尾機構を備えている。パン・チルト機構は、ビデオカメラをパン及びチルトさせるための機構であり、互いに直交する２軸方向にそれぞれ回転するパンテーブル及びチルトテーブルと、このパンテーブル及びチルトテーブルを互いに直交する２軸方向にそれぞれ回転駆動するステッピングモータと、ステッピングモータの駆動制御装置を備えている。
【００２４】
被写体追尾機構は、被写体が移動した場合に、パン・チルト機構及びズーミング機構を用いてビデオカメラの撮像レンズを被写体に向けるための機構であり、例えば特開平１１−２１５４２２号公報に記載されている技術を用いることができる。すなわち、予め撮影対象となる被写体を認識して記憶し、この被写体が撮像画面中に常に存在するように、パン・チルト機構及びズーミング機構を制御することにより被写体を追尾すればよい。
【００２５】
＜カラオケ本体＞
カラオケ本体２１は、中央制御手段４１、ＲＯＭ４２、ＲＡＭ４３、ＨＤＤ４４、送受信手段４５、予約管理手段４６、音声入力判別手段４７、動作周期演算手段４８、テンポ周期取得手段４９、周期比較手段５０、周期一致時間計測手段５１、目的外使用抑制手段５２、撮影データ記憶手段５３、撮像データ受信手段５４、Ａ／Ｄコンバータ５５、音楽再生制御手段５６、映像再生制御手段５７を備えている。
【００２６】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２７】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａ、撮影データ４３ｂが記憶されるようになっている。
【００２８】
＜ＨＤＤ＞
ＨＤＤ４４は、大容量記憶装置として機能するもので、楽曲データベース（楽曲ＤＢ）４４ａ、映像データベース（映像ＤＢ）４４ｂ、警告メッセージ４４ｃが格納されている。なお、ＨＤＤ４４に替えて、あるいはＨＤＤ４４とともに、データを書き替え可能なＤＶＤ等の大容量記憶装置を用いてもよい。
【００２９】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４４ｂは、演奏されるカラオケ楽曲に対応した背景映像を、当該カラオケ楽曲の楽曲ＩＤに対応させた映像ファイルとして所定数格納したデータベースである。警告メッセージ４４ｃは、目的外使用抑制手段５２により目的外使用抑制処理を行う際に、表示装置２７に表示する警告メッセージを作成するためのデータである。
【００３０】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００３１】
＜予約管理手段＞
予約管理手段４６は、利用者により楽曲検索手段２２ａの機能を用いて選曲され、送受信手段４５を介して受信した当該選曲者の利用者情報（例えば利用者ＩＤ）及び選曲された楽曲ＩＤを対応付けて予約待ち行列４３ａとしてＲＡＭ４３に格納し、管理するためのプログラムである。なお、楽曲選択の表示や予約待ち行列４３ａの表示は、カラオケリモコン装置２２の入出力表示部（図示せず）及び表示装置２７のいずれか一方、あるいは双方で行うことができる。
【００３２】
＜音声入力判別手段＞
音声入力判別手段４７は、マイクロホン２４から入力される歌唱音声信号を検出したか否かを判別するためのプログラムからなる。すなわち、マイクロホン２４から入力される歌唱音声信号は、Ａ／Ｄコンバータ５５を介してカラオケ本体２１に入力されており、音声入力判別手段４７では、この歌唱音声信号が入力されているか否かを判別する。音声入力判別手段４７における判別結果は、周期比較手段５０において利用される。
【００３３】
＜動作周期演算手段＞
動作周期演算手段４８は、任意のカラオケ楽曲が演奏されている際に、利用者の動きを検知して、その動作周期を演算するための電子回路及びプログラムからなる。動作周期演算手段４８は、例えば、撮影装置２３から入力されるビデオ信号に基づいて画像解析を行い、被写体（例えば歌唱者）の動作周期を演算する。具体的には、上述した特許文献１（特開昭６４−９１１８８号公報）に記載されているように、撮影したビデオ信号に含まれる色情報に基づいて被写体の映像要素（例えば、被写体の輪郭）を分離し、この映像要素の映像面積における重心を算出し、重心の移動に基づいて映像要素の変化の周期性を検出すればよい。また、撮影装置２３の撮影位置（撮像レンズが向けられている位置）が固定されている場合には、撮影位置の床に、マトリックス状に複数の感圧センサを設置し、各感圧センサによる圧力検知データに基づいて、被写体の動作周期を検出することができる。この場合、感圧センサが動作周期演算手段４８の構成要素となる。
【００３４】
＜テンポ周期取得手段＞
テンポ周期取得手段４９は、現に演奏されているカラオケ楽曲の演奏テンポに基づいて、そのテンポ周期を取得するためのプログラムからなる。すなわち、上述するように、音楽再生制御手段５６の機能により、楽曲ＩＤに基づいて楽曲データベース４４ａから抽出された演奏データがデジタル再生されるが、このデジタル再生された演奏データの演奏テンポに基づいて、テンポ周期が取得される。なお、演奏テンポは、利用者の指示や演奏の進行に伴って変化することがある。このため、演奏テンポが変化すると、これに伴って周期テンポも変化することになる。
【００３５】
＜周期比較手段＞
周期比較手段５０は、現に演奏されているカラオケ楽曲の歌唱区間において、マイクロホン２４から入力される歌唱音声信号が検出されない場合に、動作周期とテンポ周期とを比較するためのプログラムからなる。すなわち、本来ならばマイクロホン２４から入力される歌唱音声信号が検出されなければならない歌唱区間において、利用者が歌唱を行っていない場合には、当該カラオケ演奏装置１１をダンス伴奏等のように目的外で使用しているおそれがあるため、周期比較手段５０における動作周期とテンポ周期の比較が行われる。一方、マイクロホン２４から入力される歌唱音声信号が検知されている場合には、カラオケ演奏装置１１を本来の目的である歌唱に使用していることになり、この場合には、歌唱者がカラオケ楽曲の演奏テンポに合わせて身体を動かすことが一般的である。したがって、マイクロホン２４から入力される歌唱音声信号が検出されている場合には、動作周期とテンポ周期とが一致しているのは当然であり、両者を比較する必要はない。周期比較手段５０における比較結果は、周期一致時間計測手段５１において利用される。
【００３６】
＜周期一致時間計測手段＞
周期一致時間計測手段５１は、周期比較手段５０における比較結果に基づいて、動作周期とテンポ周期とが一致している継続時間を計測するためのプログラムからなる。上述したように、歌唱区間において、マイクロホン２４から入力される歌唱音声信号が検出されず、かつ撮影対象となっている歌唱者等の動作周期がテンポ周期と一致している場合には、当該カラオケ演奏装置１１をダンス等の目的外で使用しているおそれがある。そこで、マイクロホン２４から入力される歌唱音声信号が検出されず、かつ撮影対象となっている歌唱者等の動作周期がテンポ周期と一致している継続時間を管理することにより、カラオケ演奏装置１１の目的外使用を判別することができる。
【００３７】
＜目的外使用抑制手段＞
目的外使用抑制手段５２は、動作周期とテンポ周期とが一致している継続時間が予め定めた基準時間を超えた場合に、カラオケ演奏装置１１の目的外使用を抑制するための処理を行うためのプログラムからなる。目的外使用抑制手段５２における目的外使用抑制処理は、例えば表示装置２７の表示画面に警告を表示したり、カラオケ楽曲の演奏を中止したり、歌唱姿態の録画を中止したりする処理からなる。この目的外使用抑制処理により、カラオケ演奏装置１１を本来の目的である歌唱以外の目的、すなわちダンス伴奏のみに使用する行為が抑制される。
【００３８】
なお、動作周期とテンポ周期とが一致している継続時間を判断するための基準時間を設けているのは、以下の理由による。すなわち、カラオケ楽曲の歌唱区間において、歌唱者が何らかの都合で一時的に歌唱を継続できない場合がある。例えば、急に咳が出てしまった場合や、他の利用者と簡単な会話をする場合等である。これらの場合においても歌唱者が身体でリズムをとっているのは一般的であり、歌唱音声信号が入力されていないにも拘わらず、動作周期とテンポ周期とが一致してしまうことがある。このような状態をすべて目的外使用としたのでは、カラオケ演奏装置１１を利用することができなくなってしまうため、本発明では、動作周期とテンポ周期とが一致している継続時間の判断を行うための基準時間を設けている。この基準時間は、カラオケ楽曲の平均演奏時間との関係で、どのように設定してもよいが、例えば、平均演奏時間が３分３０秒程度であれば、基準時間を３０秒とすることができる。
【００３９】
＜撮像データ受信手段／撮影データ記憶手段＞
撮像データ受信手段５４は、撮影装置２３からのビデオ信号を受信するための回路基板及びプログラムからなる。また、撮影データ記憶手段５３は、撮影装置２３により撮影され、撮像データ受信手段５４により受信したビデオ信号と、マイクロホン２４から入力された音声入力信号と、音楽再生制御手段５６によりデジタル再生される演奏とを同期させて撮影データ４３ｂを作成し、ＲＡＭ４３に記憶させるためのプログラムからなる。
【００４０】
ＲＡＭ４３に記憶された撮影データ４３ｂは、ＤＶＤドライブ等の記録装置及び書込ソフトウェアを用いてＤＶＤ等の記憶媒体に記憶したり、インターネット回線を介してサーバに蓄積させることによりウェブ配信したりすることができる。なお、このような撮影サービスは、カラオケ演奏装置１１を利用したカラオケ楽曲の歌唱という基本サービスに付加するサービスであるため、一般的に有料となっていることが多い。そこで、撮影データ記憶手段５３による撮影データ４３ｂの作成及び記憶は、利用者の指示があった場合のみに行う構成とすることが好ましい。すなわち、利用者がカラオケリモコン装置２２を操作することにより撮影データ４３ｂの作成及び記憶を指示した場合に、撮影データ記憶手段５３の機能により、撮影データ４３ｂの作成及び記憶が行われる。
【００４１】
＜音楽再生制御手段＞
音楽再生制御手段５６は、楽曲ＩＤに基づいて楽曲データベース４４ａから抽出された演奏データをデジタル再生するとともにアナログ変換してミキシングアンプ２６に出力するための電子回路である。ミキシングアンプ２６は、マイクロホン２４から入力された歌唱者の歌唱音声信号と、音楽再生制御手段５６から送出される演奏音声信号とをミキシングするとともに、アンプ機能により増幅してスピーカ２５より出力させるための装置である。なお、本実施形態では、撮影データ記憶手段５３において歌唱音声信号を利用するため、マイクロホン２４からの歌唱音声信号が、カラオケ本体２１のＡ／Ｄコンバータ５５へ入力されている。
【００４２】
＜映像再生制御手段＞
映像再生制御手段５７は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２７に出力するための電子回路である。この際、カラオケ楽曲の演奏進行に従って、歌詞文字が色変わりして表示される。
【００４３】
＜表示装置＞
表示装置２７は、カラオケ演奏時の映像、歌詞テロップ、警告メッセージ等を表示するための装置で、例えば、ＣＲＴディスプレイ、液晶ディスプレイ、プラズマディスプレイ等により構成される。
【００４４】
＜目的外使用抑制処理＞
図２及び図３を参照して、本実施形態の目的外使用抑制機能付カラオケシステムにおける目的外使用抑制処理を説明する。図２は、本発明の実施形態に係る目的外使用抑制機能付カラオケシステムにおける目的外使用抑制処理を示すフローチャートである。また、図３は、表示装置の表示画面に表示される警告メッセージの一例を示す模式図である。
【００４５】
本実施形態の目的外使用抑制機能付カラオケシステムにおける目的外使用抑制処理は、図２に示すように、まず、カラオケ楽曲の演奏中か否かを判断し（Ｓ１）、カラオケ楽曲の演奏中である場合には、音声入力判別手段４７の機能により、歌唱区間において歌唱音声信号が入力されているか否かを判断する（Ｓ２）。ここで、歌唱区間において歌唱音声信号が入力されていない場合には、利用者の動作周期と、現在演奏中のカラオケ楽曲のテンポ周期とを取得する（Ｓ３）。なお、利用者の動作周期は動作周期演算手段４８の機能により演算され、現在演奏中のカラオケ楽曲のテンポ周期はテンポ周期取得手段４９により取得される。そして、周期比較手段５０の機能により、動作周期とテンポ周期とを比較し（Ｓ４）、両者が一致しているか否かを判断する（Ｓ５）。
【００４６】
ここで、利用者の動作周期と、現在演奏中のカラオケ楽曲のテンポ周期とが一致していると判断された場合には、周期一致時間計測手段５１の機能により、動作周期とテンポ周期とが一致している継続時間を計測して（Ｓ６）、動作周期とテンポ周期とが一致している継続時間が予め定めた基準時間を超えた否かを判断する（Ｓ７）。
【００４７】
そして、動作周期とテンポ周期とが一致している継続時間が予め定めた基準時間を超えた場合には、図３に示すように、目的外使用抑制手段５２の機能により、表示装置２７の表示画面において、カラオケ演奏装置１１を目的外使用している旨の警告メッセージを表示する（Ｓ８）。この場合、目的外使用抑制処理では、警告メッセージの表示に代えて、あるいは警告メッセージの表示とともに、カラオケ楽曲の演奏中止や、録音又は録画の中止を行ってもよい。
【００４８】
このように、本実施形態の目的外使用抑制機能付カラオケシステムでは、カラオケ演奏装置１１を本来の目的外であるダンス伴奏のみに使用するという行為を排除することができる。特に、カラオケ楽曲に合わせて歌唱している歌唱者の姿態を撮影してネットワーク配信するようなサービスを行う場合には、カラオケ楽曲をダンス伴奏のみに使用している姿態の撮影を行うことができないので、カラオケ店による健全な営業を阻害されることがない。
【００４９】
＜他の実施形態＞
本発明の目的外使用抑制機能付カラオケシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５０】
＜ネットワークカラオケシステム＞
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者ＩＤや撮影データ４３ｂ等を集中管理することにより、ネットワーク接続された各カラオケ演奏装置１１において同様のサービスを提供することができる。
【符号の説明】
【００５１】
１１  カラオケ演奏装置
２１  カラオケ本体
２２  カラオケリモコン装置
２２ａ  楽曲検索手段
２２ｂ  楽曲索引データベース
２３  撮影装置
２４  マイクロホン
２５  スピーカ
２６  ミキシングアンプ
２７  表示装置
４１  中央制御手段
４２  ＲＯＭ
４３  ＲＡＭ
４３ａ  予約待ち行列
４３ｂ  撮影データ
４４  ＨＤＤ
４４ａ  楽曲データベース
４４ｂ  映像データベース
４４ｃ  警告メッセージ
４５  送受信手段
４６  予約管理手段
４７  音声入力判別手段
４８  動作周期演算手段
４９  テンポ周期取得手段
５０  周期比較手段
５１  周期一致時間計測手段
５２  目的外使用抑制手段
５３  撮影データ記憶手段
５４  撮像データ受信手段
５５  Ａ／Ｄコンバータ
５６  音楽再生制御手段
５７  映像再生制御手段
【図１】
2010256641.tif 000003
【図２】
2010256641.tif 000004
【図３】
2010256641.tif 000005